(57)【要約】【課題】スリッパやサンダルなど足の後部が開放された履き物の底面の所望の箇所に足裏指圧用の種々の形状の突起を何回でも簡単に取り付け、取り外しができる健康器具を提供する。【解決手段】  面ファスナー部２ａが形成された第１の面ファスナー本体２はスリッパなどの底面の後部が開放された履き物４の底面４ａの任意の部分に配置可能な形状を有している。両面粘着テープ６の一方の粘着面６ａが第１の面ファスナー本体２の下面２ｂに接着され、該両面粘着テープ６の開放側の粘着面に剥離紙８が脱着自在に接着される。第２の面ファスナー本体１４の一方の面には面ファスナー部１４ｂが形成されている。足裏指圧用の突起１２が形成された指圧プレート１０の裏面に第２の面ファスナー本体１４の他方の面１４ａが一体的に接着されている。【選択図】図１
2005118437.tif 000002
【特許請求の範囲】
【請求項１】
スリッパなどの底面の後部が開放された履き物の底面の任意の部分に配置可能な形状を有し一方の面に第１の面ファスナー部が形成され他方の面に粘着面が設けられた薄板状の面ファスナー本体と、一方の粘着面が前記面ファスナー本体の他方の面の粘着面に脱着自在に接着された剥離紙と、一方の面に１個又は複数個の足裏指圧用の突起が設けられ他方の面に前記面ファスナー本体の第１の面ファスナー部と対をなす第２の面ファスナー部が設けられた指圧プレートとからなことを特徴とする足裏踏み指圧用具。
【請求項２】
スリッパなどの底面の後部が開放された履き物の底面の任意の部分に配置可能な形状を有し一方の面に面ファスナー部が形成された薄板状の第１の面ファスナー本体と、一方の粘着面が前記第１の面ファスナー本体の他方の面に接着された両面粘着テープと、該両面粘着テープの開放側の粘着面に脱着自在に接着された剥離紙と、一方の面に前記第１の面ファスナー本体の面ファスナー部と対をなす面ファスナー部が形成された薄板状の第２の面ファスナー本体と、１個又は複数個の足裏指圧用の突起が形成された指圧プレートとからなり、前記指圧プレートの裏面に前記第２の面ファスナー本体の他方の面を一体的に接着したことを特徴とする足裏踏み指圧用具。  
【発明の詳細な説明】
【技術分野】
【０００１】
本発明は健康保持とダイエットに有効な足裏踏み指圧器具に関する。
【背景技術】
【０００２】
普段使われていない足裏に刺激と気持ちよさを与え、足裏の血流を良くして健康を保持するこの種の足裏踏み指圧として、指圧突起を設けたベースを接着剤や両面テープなどの取り付け手段を介して履き物の底に脱着可能に接着できるようにした構成のものが知られている（例えば特許文献１参照）。また履き物の中敷きに平面ファスナーを介して指圧刺激体を脱着自在に取り付けることができるようにした構成のものが知られている（特許文献２及び特許文献３参照）。
【特許文献１】実開平７−２２７３８号公報（第１ページ、第１図）
【特許文献２】登録第３０１９６７６号実用新案公報（第１ページ、第１図）
【特許文献３】特開２００１−２０６号公報（第１ページ、第１図）
【発明の開示】
【発明が解決しようとする課題】
【０００３】
履き物の底面に接着剤を介して指圧用の突起が形成されたベース体を接着するようにすると、何回も突起ベース体を履き物の底面に貼り替えることができないという問題点がある。また、履き物の中敷きに面ファスナーの対の一方側を貼り付け、突起ベース体の下面に面ファスナーの対の他方を貼り付け、面ファスナーを介して、中敷きの適所に突起ベース体を取り付ける構成のものは、中敷きに対して何回も突起ベース体の取り付けが可能であるが、中敷きは靴などのように、足の前後を囲む履き物に使用が限定されてしまい、サンダルやスリッパなどの足の前後又は後方部分が開放された履き物には、中敷きは外れてしまうので使用できないという問題点がある。
【０００４】
また、靴の中敷きはそれ自体厚さがあるのでそれに取り付けられる突起の高さもある程度限定され、あまり高いものは使用できない。また、靴の中に挿入される中敷きは、その終焉部が靴の、足を囲む部分と接するため、その部分に突起を配置する空間的余裕がない。そのため、足の親指の部分を指圧したいときなど、履き物の先端部分に突起を取り付けることができないという問題点がある。
本発明は上記問題点を解決することを目的とするものである。
【課題を解決するための手段】
【０００５】
上記目的を達成するため本発明は、スリッパなどの底面の後部が開放された履き物の底面の任意の部分に配置可能な形状を有し一方の面に第１の面ファスナー部が形成され他方の面に粘着面が設けられた薄板状の面ファスナー本体と、一方の粘着面が前記面ファスナー本体の他方の面の粘着面に脱着自在に接着された剥離紙と、一方の面に１個又は複数個の足裏指圧用の突起が設けられ他方の面に前記面ファスナー本体の第１の面ファスナー部と対をなす第２の面ファスナー部が設けられた指圧プレートとからなるものである。
また本発明は、スリッパなどの底面の後部が開放された履き物の底面の任意の部分に配置可能な形状を有し一方の面に面ファスナー部が形成された薄板状の第１の面ファスナー本体と、一方の粘着面が前記第１の面ファスナー本体の他方の面に接着された両面粘着テープと、該両面粘着テープの開放側の粘着面に脱着自在に接着された剥離紙と、一方の面に前記第１の面ファスナー本体の面ファスナー部と対をなす面ファスナー部が形成された薄板状の第２の面ファスナー本体と、１個又は複数個の足裏指圧用の突起が形成された指圧プレートとからなり、前記指圧プレートの裏面に前記第２の面ファスナー本体の他方の面を一体的に接着したものである。
【発明の効果】
【０００６】
本発明は、スリッパやサンダルの底面の所望の箇所に簡単にしかもずれないようにしっかりと足裏指圧用の任意の突起を取り付けることができ、しかも、突起の取り付け取り外しを何回でも行うことができ、所望の突起に自由に変えることができる。しかも、足の親指などの足指も指圧することができる。
【発明を実施するための最良の形態】
【０００７】
以下に本発明の実施の形態を添付した図面を参照して詳細に説明する。
２は第１の面ファスナー本体であり、スリッパやサンダルなど、底面の前方部分と後方部分が開放され、簡単に底面に足を挿入できる前後部開放型簡易履き物４の底面４ａの任意の部分に所定の面積に亘って配置するのに適した寸法に形成されている。本実施形態では、第１の面ファスナー本体２の横幅は、標準的なスリッパなどの前後部開放型簡易履き物４の底面の横幅の約２／３の幅に設定され、縦幅は、履き物４の底面の縦方向の長さの約１／２或いは種々の寸法に設定されている。前記第１の面ファスナー本体２の表面には面ファスナー部２ａが形成され、
【０００８】
該本体２の裏面には両面粘着テープ６の一方の粘着面６ａが、本体２裏面２ｂの全面に亘って接着されている。前記両面粘着テープ６の他方の粘着面６ｂには任意のシート材からなる剥離紙８が脱着自在に接着されている。１０は指圧プレートであり、履き物４の底面の所望の位置に配置できるように、履き物４の底面の面積に比しかなり小型の面積を有し、その上面に足裏指圧用の突起１２が一体的に固設されている。突起１２付きの指圧プレート１０は図２に示すように何種類か用意され、この中には、指圧プレート１０に単一の突起１２を設けたものや、指圧プレート１０に複数の突起１２を設けたものがある。また、突起１２の形状も、半球状、円錐台状、剣山型、ドーナツ型等種々のものがあり、大きさも大小種々のものがある。
【０００９】
また、突起１２は磁石１５’により構成したものや、突起１２に磁石１５を取り付けたものがある。前記突起１２はゴム、プラスチック、木、ガラス、陶器、鋳物等で製作されている。また、突起１２は、体に良いとされている水晶、トルマリン等の鉱物から構成したものも使用している。前記指圧プレート１０の下面には第２の面ファスナー本体１４の一方の面１４ａが接着剤を介して接着され、面ファスナー本体１４の他方の面に、前記第１の面ファスナー本体２の表面の面ファスナー部２ａと対を形成する面ファスナー部１４ｂが形成されている。
次に本実施形態の作用について説明する。
【００１０】
スリッパなどの前後部開放型簡易履き物４の底面４ａに足裏指圧用の突起１２を取り付ける場合には、まず、第１の面ファスナー本体２から剥離紙６を剥離し、履き物４の底面４ａの土踏まず部分を中心に、第１の面ファスナー本体２を、左右対称となるように、一対の履き物４の底面に接着する。次に、ユーザーは、履き物４の底面４ａの好みの位置に、左右対称となるように、それぞれ、突起１２の付いた指圧プレート１０を、面ファスナー部１４ｂ，２ａを介して脱着自在に取り付ける。
【００１１】
この場合、突起１２の位置が好みのポイントと違うときは、面ファスナー部１４ｂ，２ａを剥がして何回でも取り付けることができる。足の指を指圧したいときは、履き物４の底面４ａの前方に第１の面ファスナー本体２を貼り付け、突起１２を足指が当たる位置に貼り付ける。
【００１２】
上記実施形態では、第１の面ファスナー本体２と両面テープ６とを別体に構成したが、第１の面ファスナー本体２の下面に粘着層を一体的に形成し、該粘着層により粘着面を形成し、この粘着面に剥離紙８を脱着自在に接着するようにしても良い。また、上記実施形態では、指圧プレート１０の裏面に第２の面ファスナー本体１４の他方の面を一体的に接着した構成としたが、指圧プレート１０の裏面に前記面ファスナー本体２の面ファスナー部２ａと対をなす面ファスナー部を一体成型により設けるようにしても良い。
【図面の簡単な説明】
【００１３】
【図１】本発明の実施形態を示す足裏踏み指圧器具の全体説明図である。
【図２】指圧プレートの外観説明図である。
【符号の説明】
【００１４】
２      面ファスナー本体  
４      前後部開放型簡易履き物      
６      両面粘着テープ
８      剥離紙
１０    指圧プレート
１２    突起
１４    面ファスナー本体
１５    磁石
１５’  磁石
【図１】
2005118437.tif 000003
【図２】
2005118437.tif 000004